(57)【要約】　　　（修正有）【課題】コンパクト、低騒音、防カビ及び防菌性のある、悪臭のしない、経済性の高い洗濯からプレスまでできる洗濯機を提供する。【解決手段】超音波とオゾン洗浄方式を採用し、洗濯部、すすぎ部、乾燥部とプレス部を設け、洗濯方法は一枚ずつ洗濯袋に入れ連続搬送し洗濯する。この方式により、効果的な超音波洗濯が可能とし、かつ省エネルギと水、洗剤の使用料節減を実現する。さらに、洗濯機自身の洗濯もでき清潔に使用できる。【選択図】　図１
2004033691.tif 000002
【特許請求の範囲】
【請求項１】
本発明の壁型超音波洗濯機（以下洗濯機と称す）は、連続して洗濯、すすぎ、乾燥、プレスが出来、薄壁の様に設置出来、場所を取らない事に特徴がある。洗濯用品収納棚を前部に持ち洗濯関係用品を収納でき洗濯がし易い。オゾン、超音波洗浄を採用し洗剤、水が少量で済む環境に優しい洗濯機である。又ＢＧＭやラジオ等も聞く事が出来て楽しみながら洗濯が出来る。洗濯物の殺菌脱臭と洗濯機の自動洗浄殺菌脱臭で清潔が維持でき安心して使用出来る事に特徴がある。形は立型、横型でも良く洗濯物は食器でもよい。本発明はこれらの特徴と考え方を含むものである。
【請求項２】
本発明の洗濯機前部は、上方に洗濯済収納籠やプレスローラが有り、中央には制御装置と洗濯機カバーが有り、安全の為未使用時は蓋をしてる。洗濯時に洗濯位置に開き、使用者は洗濯袋に洗濯物を開いていれる。洗濯用品収納棚上部はアイロン台として使用出来、内蔵された電気アイロンで手動プレスが出来る。下部は棚であり洗剤等を収納する。洗濯機単体でなく総合的洗濯環境を一台で提供でき便利である。本発明はこれら特徴と考え方を含むものである。
【請求項３】
本発明の網状洗濯送り装置（以下送り）は洗濯袋をフックで引っかけて搬送する。洗濯物センサーは音波や圧力素子等で洗濯物の形状、厚さ、材質等を計測して制御装置にデータを送る。制御装置は各種センサーの情報と使用者の指示により水、洗剤、超音波発生器、ローラやオゾン等の各種弁を制御して、洗濯物毎最良の洗濯環境を作り作動する。その結果頑固な汚れから絹のデリケートな洗濯迄一枚毎連続して洗濯が可能となり、生地も傷めない。又省エネと水、洗剤を減らす事も可能となり、経済性と環境保全を実現する。制御装置はＢＧＭやラジオ等操作が出来楽しく洗濯ができる。このような特徴と考え方を含むものである。
【請求項４】
本発明の超音波洗濯部は前中後段の３槽に分かれローラで仕切られる。内壁に超音波発生器を持ち、洗濯袋、送りを挟み反対側に反射板を持つ。送りにより洗濯物が適切な圧力で超音波発生器に押される。この結果超音波は減衰分散す事なく最強状態で洗濯物を洗浄する事が出来る。洗濯物は一枚毎移動して行く為洗いムラが起きない。制御装置により洗濯物の形状に合わせ最適の超音波発生器と洗濯水ジェットだけを作動させムダを省き、材質に合わせた洗剤の量と水を入れる。オゾン水シャワーはローラ出口の洗濯物に吹き付け汚れ分解洗浄、漂白、殺菌、脱臭を行う。洗濯水は制御装置により必要量の洗剤が自動混入して噴出される。水位や汚れを洗濯水センサーで計測して、注排水を制御する。洗濯槽の洗浄と消毒をオゾン水を注水して自動的に行う。後段はすすぎ部のオゾン水排水を活用して循環流を作り超音波と合わせて洗浄し、排水は中段に送る。中段も洗浄は後段同様であり、洗濯水センサーと制御装置により洗剤の追加や排水が制御される。洗濯槽は一枚の布地の厚さで済む為小容量で済み、水を余り必要としない為大幅な節水が可能となる。又攪拌洗濯をしない為に布地が痛まない。この様な特徴と考え方を含むものである。
【請求項５】
本発明のすすぎ部は２段で構成され、ローラから洗濯物が出てくると制御装置により洗濯物の形状に対応する超音波発生器とすすき弁が働く。オゾン水ジェット噴射、巻き込み水流すすぎと超音波すすぎ、ローラ脱水を２回繰返す。加えてオゾンによる残留洗剤の分解、漂白、殺菌、脱臭作用から効率的にすすぎが出来る。オゾン水噴射口は上下２個所設け、オゾン水は洗濯物をすすぎながら下方にある排水孔から洗濯部後段へ流れる。洗濯騒音は請求項４、５，６から大部分発生するが、ローラで密閉され且つ各ジェットも水中でありあまり音が出ない。更に洗濯機を防音材で被っておく事により洗濯騒音を著しく軽減する事が出来る。この様な特徴と考え方を含むものである。
【請求項６】
本発明の乾燥部は２段に分かれ、一段目はローラから脱水洗濯物が出てきたら形状に合わせて弁が開き高圧温風を吹きつける。反対側では同様場所の弁が開き吸引する。この為ローラで取れなかった水分を除去乾燥する。２段目は低圧温風を左右から交互に吹きつけ洗濯物をふっくら乾燥させる。内壁は吸音材で作成して防音を徹底する。プレスローラは洗濯済収納籠直前に設置する。制御装置はプレスしない場合はプレスローラを上げ、プレスが必用な場合は材質から最適なプレス圧力と温度を制御する。高圧温風はプレスローラを熱くして、廃棄温風はローラ直前の洗濯物に低圧温風を吹き付けてしわを伸ばす。洗濯物は洗濯袋に一枚ず並べられている為、プレスローラでプレスをかける事が出来る。プレス後仕上げが必用な洗濯物は電気アイロンで手動プレスをする。送りのフックはプレスローラ出口で外れ、洗濯済み収納籠に自重自然落下する。乾燥部の吸引された空気は空気ポンプで圧縮し高圧温風を作る。高圧温風は脱水、乾燥とプレスに使われ、一部をオゾン発生装置からのオゾンを加え洗濯部やすすぎ部に送られる。水道水と攪拌浄化してオゾン水として利用し、オゾン廃棄は密閉構造の洗濯機から外部に出なく排水孔より排出される。この様な特徴と考え方を含むものである。
【発明の詳細な説明】
【０００１】
【発明の属する技術分野】本発明は洗濯の各種装置に関する物である。
【０００２】
【従来の技術】従来の洗濯機はまとめて洗濯する為、洗濯槽の大型化が進んだ。そして水流と洗剤で洗浄する為大量の水と洗剤が必要であった。洗浄方法は様々な水流を起し洗濯物と洗剤を一緒にかき回す。頑固な汚れや絹などは別々に洗濯した。特に頑固な汚れは洗浄できず予備手洗いや諦めが必用であった。乾燥機やアイロンと洗濯干し場がバラバラで不便と手間と時間がかかり重労働であった。
【０００３】超音波洗浄はＳ２６−３３５等１７２件あり、様々な提案がなされ洗濯以外にも身近ではメガネの洗浄に見る事が出来身近な技術である。しかし洗濯機には中々普及しなかった。それは大型洗濯槽では、超音波が分散減衰干渉して洗浄力が急速低下する事と洗濯物が浮き上がり水流で移動する為、洗浄ムラが起きる為である。超音波発信源に洗濯物を極力近ずける様提案された物に２００１−５４６９５があり洗濯物を圧接させ超音波洗濯の欠点を改良した物だが、一枚ずつしか洗濯出来ない等不便で使いずらかった。この為接近部分洗浄でに使われているのが実状である。
【０００４】洗濯時の騒音は水流、モーター音、キャビテーション等様々であり、更に振動等があり煩わしさがあった。乾燥機は場所と電気と時間とお金が掛り、おまけに火災の原因にもなったりする事もある。又洗濯機に黒かび等雑菌が繁殖し、残存洗剤と共にアトピーと一因ともなっている。
【０００５】
【発明が解決しようとする課題】しかし従来の洗濯機はまとめて洗濯する為、洗濯槽の大型化が進んだ。乾燥機なども同様であり、狭い我が家に大きな洗濯機器が並ぶ事になり問題が有った。大量の水と洗剤をかき回し洗浄する為、深刻な自然破壊を引き起こし大きな社会問題になっている。水流は布を絡ませ傷めるので問題がある。頑固な汚れの木綿と絹を一緒には洗濯出来ず、数回に分け洗濯をしなければならず問題であった。すすぎも大量の洗濯物を一度にすすぐ為、残留洗剤が完全に除去できないケースも多く、カビと合わせてアトピーの一因でも有り問題である。洗濯を総合的に捉えてなく、置き場所もバラバラでその都度移動等しなければならず非効率で重労働と時間が掛り問題が有った。
【０００６】超音波洗浄は古い技術にもかかわらず、洗濯には大きな水槽で水と洗濯物を掻きまわす為超音波の分散、減衰と音波強度の強弱がどうしても発生して、洗浄力低下や洗いムラが出てしまう問題が有った。
【０００７】洗濯時の騒音は水流、モーター音、キャビテーション等様々であり、更に振動等があり問題が有った。乾燥機は場所と電気と時間とお金が掛り、おまけに火災の原因にもなったりして問題が有った。又洗濯機の洗浄や除菌、脱臭等考えられておらず、不衛生で問題が有った。
【０００８】
【課題を解決するための手段】上記の問題点を解決する為に、請求項１の発明は非常に薄い壁型の洗濯機にし、洗濯に関する全ての用具が収納可能にして使い易く構成した。音楽を楽しみながら自動的にプレス迄終り場所も取らない洗濯機を作る為、洗濯機前部は壁棚の様に洗濯済収納籠や洗濯物投入部と操作の場所以外は、洗濯用品を使いやすく収納する。この結果薄い洗濯機一台で洗濯の全てが揃い効率的になる。ラジオ等の設備を設置して放送や音楽等も聞けて、楽しく且つ洗濯機をオゾン水殺菌をして清潔に使用できる事に特徴がある。
【０００９】請求項２，３は壁状洗濯機前部は上方からプレスローラ、洗濯済収納籠、洗濯機カバーと制御装置と各種洗濯用具格納棚で構成され、洗濯動作方法は洗濯物を一枚ずつ広げて洗濯袋に格納し、送りで搬送し洗浄、すすぎ、乾燥とプレスを全自動で完了出来る。送りと洗濯袋は網目状であり２８Ｋｈｚでは１０ｍｍ以上のピッチとする。制御装置は洗濯物の大きさ、厚さ、材質の情報から最良の洗濯状態を作る事に特徴が有る。尚洗濯機は横型でも同様である。
【００１０】請求項４は洗濯部であり洗浄は３段で構成しローラで区切る。超音波、少量の洗剤とオゾンを使用して洗浄する。洗濯物を搬送する事により洗濯ムラを防止し、連続洗浄が可能となる。超音波洗濯は超音波発生器に洗濯物を極力近ずける工夫をして洗浄力を最大限に活用出来る事に特徴がある。加えて制御装置とセンサーで最適の洗浄条件を制御する事により、少量の水と洗剤で洗濯出来、消費電力も減らせる事に特徴がある。洗濯すすぎ各槽の数は記載が望ましいが、目的などで自由に設定できる。
【００１１】請求項５のすすぎ部は二段で構成してローラで区切る。ローラ出口でオゾン水ジェットと巻き込み水流並びに超音波で、素早くすすぐ。オゾンは残存洗剤の分解、汚れの分解、漂白、殺菌、脱臭等をして洗濯物を完全にすすぐ。排水は洗浄後段に流し込む事により節水できる事に特徴が有る。
【００１２】請求項６の乾燥部は２段で構成してローラで区切られる。ローラ出口で高圧温風を吹き付け、反対側では吸引を行う。洗濯物の残存水分は素早く脱水と乾燥が出来る。又ヒータ等の高温熱源を使用しない為、安全で経済的である。一部の空気はオゾン発生装置を通り、オゾン入り高圧温風となる。オゾン風はオゾン攪拌装置で水道水と混合攪拌し、水道水の浄化抜気をして５０度の温水オゾン水とする。これを洗濯部、すすぎ部に送り汚れの分解、殺菌、脱臭を行う。又中性洗剤と超音波洗浄は上記温度が効果的であり、アルカリ洗剤の場合は６０度ほどが効果的である。振動と騒音は大きな洗濯槽を動かす等必要なく振動は、ほとんど発生しない。洗濯機の外郭を防音材で覆い、すすぎ部は完全密封と水中での水ジェット噴射であり、騒音は発生しない。乾燥部はローラで密封され、内壁は吸音材で消音する事により発生しない事に特徴が有る。プレスローラは使用しない時も高圧温風で暖められ、しわ伸ばしとして排出される。プレス時はプレスローラが洗濯物に圧力を加えプレスする事に特徴が有る。
【００１３】
【発明の実施の形態】次に図面を参照して、本発明の実施の形態について詳細に説明する。但し記載の方法は一例であり、本発明はこれに限定されるものではない。
【００１４】請求項１に記載の発明は壁型超音波洗濯機Ｆであり図１の様に非常に薄型で壁の様に設置する。洗濯機前部▲２▼、洗濯部Ｅ、すすぎ部Ｌ、乾燥部Ｉとで構成されて完全自動の洗濯機である。洗濯用品格納棚▲３▼や制御装置▲４▼で使いやすさと簡単で楽しく、経済的で環境に優しい洗濯を実現する。具体的には洗濯物Ｕを一枚毎自動投入すると、洗濯、すすぎ、乾燥とプレスが出来て洗濯済収納籠Ａに溜まる。洗濯機Ｆはオゾン水Ｒによる各槽の洗浄と殺菌を行い、清潔な洗濯機Ｆを使用できる。
【００１５】請求項２と３に記載の発明は洗濯機前部▲２▼である。上方は洗濯済収納籠Ａ、洗濯用品収納棚▲３▼、洗濯機カバーＢ、制御装置▲４▼等が有り図２を元に説明する。洗濯機カバーＢを洗濯位置にして制御装置▲４▼に指示すると、作動準備になり洗濯物Ｕを洗濯袋Ｋに広げて閉じる。洗濯袋Ｋの洗濯物Ｕを必要枚数重ねて置く。投入すると、洗濯物センサーＴが働き洗濯機Ｆが駆動する。同時に洗濯物Ｕの位置、形状、厚さ、材質を計測して制御装置▲４▼に送る。図５の様に洗濯物Ｕは送りＣのフックＳに固定され搬送される。プレスローラ▲６▼でプレスされた洗濯物Ｕは、フックＳが外れ上方洗濯済収納籠▲２▼に自重で落下する。以外は洗剤等洗濯用品格納棚▲３▼があり、上部はアイロン台と電気アイロンが設置されていて、必用な時手動で仕上げプレスを行う。
【００１６】請求項４の発明は前中後段の３段で構成する超音波洗濯部Ｅである。図３で説明すると前段では送りＣに搬送された洗濯物ＵはローラＪを出るとオゾン水Ｒシャワーで洗浄、汚れ分解、殺菌と脱臭をする。次に洗剤Ｍ入り洗濯水を吹き付け巻き込み水流で洗浄を行う。平行して図６の様に洗濯物Ｕは超音波発生素子Ｙとパラボラ型Ｘで構成された、超音波発生器Ｖと送りＣで挟まれ、適当な圧力で超音波発生器Ｖに接する。洗濯物Ｕの形状に対応する超音波発生器Ｖから超音波が照射され、反射板Ｗと相俟って強力なキャビテーションが発生し、それが直ちに崩壊する際二次超音波が発生する事により強力な洗浄力となり、オゾン水Ｒと洗剤Ｎ入り洗濯水Ｎと相俟って汚れを強力に洗浄する。この為省エネと少量の洗剤Ｍ、水で頑固な汚れでも洗浄出来き布地を傷めない。洗濯水センサー▲５▼は水位と洗濯水Ｎの汚れを計測して制御装置▲４▼に送り、排水Ｄと洗濯水Ｎとオゾン水Ｒの入水を制御する。これにより最適の洗浄と水のムダをなくす。後段はすすぎ部Ｌ排水Ｄを洗濯水Ｎとして利用してオゾン水Ｒと超音波洗浄のみで洗濯する。排水Ｄは中段に入り、洗剤Ｍ入り洗濯水Ｎと一緒になり、前段同様制御装置で最適洗浄と入排水を行う。オゾンは大気中に排出せず、脱臭殺菌しつつ排水溝に流すが、水中では２０分で分解する。
【００１７】請求項５の発明は前後２段になったすすぎ部Ｌである。図２で説明するとローラＪ区切られ水分を絞られた洗濯物Ｕは送りＣで搬送されながら、オゾン水ジェット噴射並びに巻き込み水流すすぎと超音波すすぎが終ったら再度水ジェットと巻き込み水流で二度すすぐ。これを再度繰り返し、オゾン水の洗剤Ｍ分解と漂白、殺菌、脱臭効果で残存洗剤、汚れ等素早く確実にすすげる。排水は順次前段に流し水のムダなくす。
【００１８】請求項６の発明はローラＪで２段に仕切られた乾燥部Ｉである。図４で説明すると空気ポンプＧで高圧空気を作り、高圧温風を制御装置により洗濯物Ｕの形状に合わせ吹き付ける。反対側では同場所を吸引する事により、ローラＪで脱水後の残存水分を除去して、温風で乾燥させる。後段は温風乾燥が主体でふんわり乾燥させる。最終仕切りは高圧温風で暖められたプレスローラ▲６▼であり洗濯物Ｕをプレスする。プレスが終った洗濯物Ｕは洗濯済収納籠ＡにフックＳが取れ自重落下する。尚襟首など部分追加プレスは内臓の手動式の電気アイロン▲１▼で仕上げをする。防音はローラＪで密封されて音が外部に出難く、乾燥部は特に内壁は吸音材で作り消音する。更に洗濯機Ｆの外郭内側に防音材Ｚを入れ騒音を遮断する。又一部高圧温風はオゾン発生装置Ｈを通りオゾン攪拌装置▲７▼で水道水を浄化しオゾン水として、洗浄部Ｅ、すすぎ部Ｌの吹き出し口から高圧温風と一緒にジェット噴射させる。
【発明の効果】本発明により、場所を取らなく壁棚に洗濯用品が全てあり洗濯が簡便に出来る為便利になる。又消音と防音に工夫をして静かな洗濯機で更にＢＧＭやラジオ等から楽しみながら洗濯が出来る。オゾンと超音波洗濯が省エネと水、洗剤の使用軽減から環境に優しく経済的である。殺菌や脱臭等が洗濯物と洗濯機共でき清潔で安心である。洗濯は頑固な汚れから絹まで一連で洗濯出来布地を傷めない。貯めないですぐ洗濯出来、汚れの固化や菌の増殖や臭いの発生を防止できる。
【図面の簡単な説明】
【図１】本発明の壁型超音波洗濯機の概念図である。
【図２】本発明の壁型超音波洗濯機前部とすすぎ部の概念図である。
【図３】本発明の洗濯部の概念図である。
【図４】本発明の乾燥部とプレスローラ付近の概念図である。
【図５】本発明の洗濯袋と網状洗濯物送り装置の概念図である。
【図６】本発明の超音波発信機の概念図である。
【符号の説明】
Ａ　洗濯済収納籠
Ｂ　洗濯機カバー
Ｃ　網状洗濯物送り装置
Ｄ　排水
Ｅ　洗濯部
Ｆ　壁型超音波洗濯機
Ｇ　空気ポンプ
Ｈ　オゾン発生装置
Ｉ　乾燥部
Ｊ　ローラ
Ｋ　洗濯袋
Ｌ　すすぎ部
Ｍ　洗剤
Ｎ　洗濯水
Ｏ　高圧温風吹き出し口
Ｐ　吸引口
Ｑ　使用者
Ｒ　オゾン水
Ｓ　フック
Ｔ　洗濯物センサー
Ｕ　洗濯物
Ｖ　超音波発生器
Ｗ　反射板
Ｘ　パラボラ型
Ｙ　超音波発振素子
Ｚ　防音材
▲１▼　電気アイロン
▲２▼　洗濯機前部
▲３▼　洗濯用品収容棚
▲４▼　制御装置
▲５▼　洗濯水センサー
▲６▼　プレスローラ
▲７▼　オゾン攪拌装置
▲８▼　脱水装置
【図１】
2004033691.tif 000003
【図２】
2004033691.tif 000004
【図３】
2004033691.tif 000005
【図４】
2004033691.tif 000006
【図５】
2004033691.tif 000007
【図６】
2004033691.tif 000008